(57)【要約】【課題】スライドレールに対する引き出しの着脱が容易にできる収納装置を提供する。【解決手段】本発明にかかる収納装置１において、スライドレール７はガイドレール１１をスライド自在であり、引き出し９はスライドレール７に載置する載置片１３を有し、載置片１３は被係合部１７を有し、スライドレール７は被係合部１７と係脱自在な係合部１９と、先端部及び後端部に各々ストッパー２３、２７を有し、載置片１３をスライドレール７に載置してあるとともに、載置片１３の被係合部１７とスライドレール７の係合部１９との係合により引き出し９とスライドレール７が連結してあり、先端側ストッパー２３は引き出し９を引き出すときに載置片１３の先端に当接して、載置片１３の被係合部１７とスライドレール７の係合部１９との後端側が当たるのを阻止し、後端側ストッパー２７は引き出し９を押し込むときに載置片１３の後端に当接して、載置片１３の被係合部１７とスライドレール７の係合部１９との先端側が当たるのを阻止する。【選択図】図１
2018000420.tif 000002
【特許請求の範囲】
【請求項１】
ガイドレールと、スライドレールと、引き出しとを備え、スライドレールはガイドレールをスライド自在であり、引き出しはスライドレールに載置する載置片を有し、載置片は被係合部を有し、スライドレールは載置片の被係合部と係脱自在な係合部と、先端部及び後端部に各々ストッパーを有し、載置片をスライドレールに載置してあるとともに、載置片の被係合部とスライドレールの係合部との係合により引き出しとスライドレールが連結してあり、先端部のストッパーは引き出しを引き出すときに載置片の先端部に当接して、載置片の被係合部とスライドレールの係合部との後端側が当たるのを阻止するものであり、後端部のストッパーは引き出しを押し込むときに載置片の後端部に当接して、載置片の被係合部とスライドレールの係合部との先端側が当たるのを阻止するものであることを特徴とする収納装置。
【発明の詳細な説明】
【技術分野】
【０００１】
本発明は、収納装置に関する。  
【背景技術】
【０００２】
図８に示すように、従来の収納装置は、引き出し７１の側面７２に、前後方向に亘って側方に突設する突設部材７３を溶接で固定し、突設部材７３と、ガイドレール７５を移動自在に設けたスライドレール７７を、側方から止めるねじ７９で固定していた。尚、ガイドレール７５は、筺体にねじ８１で固定されている。  
【先行技術文献】
【特許文献】
【０００３】
【特許文献１】なし
【発明の概要】
【発明が解決しようとする課題】
【０００４】
従来の収納装置では、引き出しに固定した突設部材とスライドレールをねじで固定していたので、スライドレールに対する引き出しの着脱は、ねじを締め付けたり外したりする必要があり、引き出しの着脱が面倒であった。  
【０００５】
そこで、本発明は、スライドレールに対する引き出しの着脱が容易にできる収納装置の提供を目的とする。
【課題を解決するための手段】
【０００６】
請求項１に記載の発明は、ガイドレールと、スライドレールと、引き出しとを備え、スライドレールはガイドレールをスライド自在であり、引き出しはスライドレールに載置する載置片を有し、載置片は被係合部を有し、スライドレールは載置片の被係合部と係脱自在な係合部と、先端部及び後端部に各々ストッパーを有し、載置片をスライドレールに載置してあるとともに、載置片の被係合部とスライドレールの係合部との係合により引き出しとスライドレールが連結してあり、先端部のストッパーは引き出しを引き出すときに載置片の先端部に当接して、載置片の被係合部とスライドレールの係合部との後端側が当たるのを阻止するものであり、後端部のストッパーは引き出しを押し込むときに載置片の後端部に当接して、載置片の被係合部とスライドレールの係合部との先端側が当たるのを阻止するものであることを特徴とする収納装置である。  
【発明の効果】
【０００７】
請求項１に記載の発明によれば、引き出しをスライドレールに装着するときには、スライドレールに引き出しの載置片を載置すると共にスライドレールの係合部を引き出しの被係合部に係合することで、引き出しとスライドレールを連結する。引き出しをスライドレールから外す場合には、引き出しの被係合部をスライドレールの係合部から外せばよい。このように、本発明によれば、係合部の係脱により、スライドレールに対する引き出しの着脱が容易にできる。  
引き出しをスライドレールに装着した状態において、引き出しを引き出すときにはスライドレールの先端部に設けたストッパーが載置片の先端部に当接して、スライドレールの係合部と載置片の被係合部との後端側が当たるのを阻止し、引き出しを押し込むときにはスライドレールの後端部のストッパーが載置片の後端部に当接して、スライドレールの係合部と載置片の被係合部との先端側が当たるのを阻止するので、引き出しの出し入れのときに係合部と被係合とが当たって損傷するのを防止できる。  
【図面の簡単な説明】
【０００８】
【図１】第１実施の形態にかかる収納装置であり、スライドレールと引き出しとの装着状態を示す斜視図である。
【図２】（ａ）はスライドレールに引き出しを装着する直前の状態を示す斜視図であり、（ｂ）及び（ｃ）は、引き出しの載置片とスライドレールとを抜き出して示す断面図であって、（ｂ）は載置片の被係合部にスライドレールの係合部が係合する前の状態、（ｃ）は載置片の被係合部にスライドレールの係合部が係合した後の状態である。
【図３】図１に示す引き出しと、引き出しに組み付け前の左右のスライドレール及びガイドレールとを示す斜視図である。
【図４】引き出しの図であり、（ａ）は正面図、（ｂ）は側面図、（ｃ）は平面図である。
【図５】組み付け状態にあるスライドレール及びガイドレールを示す図であり、（ａ）はガイドレールに対してスライドレールを引き出した状態の側面図、（ｂ）はガイドレールに対してスライドレールを引き出した状態の平面図、（ｃ）はガイドレールに対してスライドレールを押し込んだ状態の平面図、（ｄ）はガイドレールに対してスライドレールを押し込んだ状態であって、上下反転して裏側から見た側面図、（ｅ）はスライドレールの先端側ストッパー部分の断面図、（ｆ）は（ａ）に示すスライドレール及びガイドレールをＰ側から見た図、（ｇ）は先端側ストッパーの形成方法を説明する図であり、先端側ストッパー部分の側面である。
【図６】第１実施の形態にかかる収納装置の図であり、（ａ）は正面図、（ｂ）は側面図、（ｃ）は（ａ）に示すＣ−Ｃ断面であって、最上位置の引き出しを引き出した状態を示す図であり、（ｄ）は平面図である。
【図７】第２実施の形態にかかる収納装置であり、引き出しと、引き出しに組み付け前のスライドレール及びガイドレールとを示す斜視図である。
【図８】従来の収納装置であり、引き出しと、引き出しに組み付け前のスライドレール及びガイドレールとを示す斜視図である。
【発明を実施するための形態】
【０００９】
以下に、添付図面を参照して本発明の実施の形態について説明するが、まず、図１〜図６を参照して本発明の第１実施の形態について説明する。  
図６及び図１に示すように、本実施の形態にかかる収納装置１は、キャビネットであり、キャビネットの筺体５内には、上下に４つの引き出し９が設けてあり、各引き出し９に対応してスライドレール７とガイドレール１１とが設けてある。ガイドレール１１は、筺体５の左右の側板に各々固定してあり、各ガイドレール１１にスライドレール７が摺動自在に設けてある。  
図３及び図４に示すように、引き出し９には、両側面９ａに各々スライドレール７に載置する載置片１３が設けてある。載置片１３は、縦断面がＬ字形状のアングル材１４であり、アングル材１４の一側片を引き出し９の側面に溶接により固定した固定片１６としてあり、他側片を引き出し９の側面から突設した載置片１３としてある。載置片１３は、引き出し９の側面９ａの下部で前後方向に亘って細長く突設してある。載置片１３の前側には被係合部１７が形成されている。被係合部１７は平面視矩形の孔部である。引き出し９及び載置片１３はスチール製である。  
【００１０】
図３及び図５に示すように、スライドレール７及びガイドレール１１は、前後方向に長くしてあり、図５（ｅ）（ｆ）に示すように、縦断面が略Ｃ字形状を成すスライドレール７の内側をガイドレール１１が摺動するようにしてある。スライドレール７及びガイドレール１１はスチール製である。  
図１及び図５（ａ）（ｆ）に示すように、スライドレール７には、その上部に載置片１３の被係合部１７に係合する係合部１９が設けてある。係合部１９は樹脂材製であり、スライドレール７から起立する起立部１９ａと、起立部１９ａの上端から下方に傾斜した係合片１９ｂとを有し、係合片１９ｂは起立部１９ａに向けて押すことで、起立部１９ａに対する傾斜角度を小さくするように弾性変形可能である。尚、図２（ａ）に示すように、係合部１９の前後方向の寸法Ｗ２は、被係合部１７の孔の前後方向の寸法Ｗ１よりも小さくしてある。  
スライドレール７において、係合部１９よりも前側に位置する先端部２１には、載置片１３の先端に対向する先端側ストッパー２３が設けてあり、後端部２５には載置片１３の後端に対向する後端側ストッパー２７が設けてある。先端側ストッパー２３は、図５（ｇ）に示すように、板状のスライドレール７の上端に切り込み２３ａを入れ（ｇ１）、切り込み２３ａの前後の上端部を折り曲げ（ｇ２）、その後、切り込み２３ａの前側の上端部を起こして形成したものである（ｇ３）。  
後端側ストッパー２７は、スライドレール７の上面において、後側を残して前側を上方に離すようにして切り起こして形成してある。  
また、図５（ａ）に示すように、スライドレール７の後端には、ガイドレール１１に対するスライドを案内するローラ３３が設けてある。  
【００１１】
次に、スライドレール７と引き出し９との脱着について説明する。  
ガイドレール１１は筐体５の内側面にねじ等で固定してある。  
図２（ａ）に示すように、スライドレール７に引き出し９を装着するときには、スライドレール７はガイドレール１１にスライド自在に装着した状態で、筺体５から引き出した状態にしてある。  
引き出し９の両側に設けた載置片１３を各々スライドレール７の後端側ストッパー２７に差し入れると共に、スライドレール７の係合部１９を載置片１３の被係合部１７の孔に上から挿入するようにして係合する。  
このとき、図２（ｂ）に示すように、スライドレール７の係合部１９では、係合片１９ｂが被係合部１７の孔の縁に当接して、矢印Ｓに示すように起立部１９ａ側に押されるように弾性変形して被係合部１７の孔を通過して、図２（ｃ）に示すように、係合片１９ｂが被係合部１７を通過すると、係合片１９ｂが矢印Ｔで示すように、弾性復帰して載置片１３の被係合部１７の孔の縁上に位置する。これにより、スライドレール７と引き出し９の載置片１３とが連結される。  
尚、図１に示すように、載置片１３の前端は先端側ストッパー２３に対向して配置される。  
【００１２】
図１に示すようにスライドレール７に引き出し９を装着した状態から、引き出し９を外す場合には、図２（ｃ）に示すように、係合部１９の係合片１９ｂを起立部１９ａ側に押し付けて（矢印Ｖ参照）、引き出し９の前側を引き上げて係合部１９を被係合部１７の孔から外し（図２（ｂ）参照）、係合部１９と被係合部１７の係合を外す。  
その後、引き出し９の前側を上に傾斜した状態で、引き出し９を手前に引くことで、後端側ストッパー２７から載置片１３を外して、スライドレール７から引き出し９を外す。
【００１３】
引き出し９をスライドレール７に装着した状態で、引き出し９を開け閉めする場合の作用について説明する。  
図１に示すように、引き出し９を筺体５から引き出すときには、先端側ストッパー２３が載置片１３の先端に当接して、載置片１３の被係合部１７とスライドレール７の係合部１９との後端側が当たるのを阻止する。  
引き出した状態から引き出し９を筺体５に押し込むと、後端側ストッパー２７が載置片１３の後端に当接して、載置片１３の被係合部１７とスライドレール７の係合部１９との先端側が当たるのを阻止する。  
【００１４】
第１実施の形態によれば、引き出し９をスライドレール７に装着するときには、スライドレール７に引き出し９の載置片１３を載置すると共にスライドレール７の係合部１９を引き出し９の被係合部１７に係合することで、引き出し９とスライドレール７を連結し、引き出し９をスライドレール７から外す場合には、引き出し９の被係合部１７をスライドレール７の係合部１９から外せばよい。このように、本発明によれば、係合部１９の係脱により、スライドレール７に対する引き出し９の着脱が容易にできる。  
引き出し９をスライドレール７に装着した状態において、引き出し９を引き出すときにはスライドレール７の先端部２１に設けた先端側ストッパー２３が載置片１３の先端に当接して、スライドレール７の係合部１９と載置片１３の被係合部１７との後端側が当たるのを阻止し、引き出し９を押し込むときにはスライドレール７の後端部に設けた後端側ストッパー２７が載置片１３の後端に当接して、スライドレール７の係合部１９と載置片１３の被係合部１７との先端側が当たるのを阻止するので、引き出し９の出し入れのときに係合部１９と被係合部１７とが当たって損傷するのを防止できる。  
【００１５】
図２に示すように、スライドレール７に引き出し９を装着するときには、スライドレール７に載置片１３を載せるようにして、載置片１３の被係合部１７に係合部１９を係合することで連結し、引き出しを外すときには係合部１９の係合を外して引き出し９を引き上げれば済むので、従来技術のように、引き出しにスライドレールを側方からねじで止める場合に比較して、引き出し９の装着時に引き出し９が左右のスライドレール間から落ちないように押えておく必要がなく、引き出しの脱着作業がし易い。  
【００１６】
先端側ストッパー２３及び後端側ストッパー２７は、各々スライドレール７に切り起こしで形成しているから、これらのストッパー２３、２７が容易に形成できると共にストッパー２３、２７についても部品点数を少なくできる。  
スライドレール７は、引き出し９の側面に固定したアングル材１４の固定片１６の側方に位置しているので、アングル材１４の固定片１６をスライドレール７で隠すことができる。  
【００１７】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図７に、本発明の第２実施の形態にかかる収納装置１を示す。この第２実施の形態にかかる収納装置１は、スライドレール７に設けた係合部１９、先端側ストッパー２３、後端側ストッパー２７及び載置片１３の被係合部１７が第１実施の形態と異なっている。  
この第２実施の形態では、スライドレール７の係合部１９は、スライドレール７を切り起こして上方に突出する形状に形成してあり、係合部１９には前後方向に互い間隔をあけて上方に突設した係合片１９ｄ、１９ｅが形成してあり、係合片１９ｄ、１９ｅは互いに間隔を狭めるように弾性変形は可能にしてある。  
各係合片１９ｄ、１９ｅは互いに対向する側と反対側の縁が上端から上下方向中央部にかけて互いの間隔が広くなるように傾斜しており、上下方向中央部の間隔はＷ４である。係合部１９の基部１９ｃでは、間隔Ｗ３を上下方向中央部の寸法Ｗ４よりも狭くしている。  
一方、載置片１３に形成した被係合部１７は、載置片１３を切除して形成している。  
先端側ストッパー２３は、スライドレール７の先端を曲げ加工しないで、立ち上げたままとしてあり、後端側ストッパー２７は、鉤状に切り起こして形成している点が第１実施の形態と異なっている。  
載置片１３の被係合部１７は、載置片１３を切除して形成している。  
【００１８】
この第２実施の形態では、左右のスライドレール７に引き出し９を装着するときには、一方のスライドレール７の係合部１９に上方から載置片１３の被係合部１７を押し込むことで、係合片１９ｃ、１９ｄが間隔を狭めるように弾性変形し、被係合部１７に嵌め入れる。係合片１９ｄ、1９ｅの中央部（間隔Ｗ４）を通過すると係合片１９ｄ、１９ｅが弾性復帰して被係合部１７の縁の上に上下方向中央部（幅Ｗ４の部分）が載り、被係合部１７の前後の縁の間には係合部１９の基端部（幅Ｗ３の部分）が位置することで、係合部１９と被係合部１７とが係合する。  
スライドレール７から引き出し９を外すときには、指で係合片１９ｄ、１９ｅを互いに押し狭めるようにして、被係合部１７から係合部１９を外す。  
この第２実施の形態では、上述した第１実施の形態と同様の作用効果を奏することができる。  
【００１９】
本発明は、上述した実施の形態に限定されるものではなく、その要旨を逸脱しない範囲で種々変形可能である。  
例えば、先端側ストッパー２３及び後端側ストッパー２７はスライドレール７の上面から突設したピンであっても良く、その形成方法や形状は限定されない。  
係合部１９と被係合部１７は、係脱自在であれば良く、例えば、係合部１９を上方に突出するピンとして、被係合部１７はピンが挿入される孔としても良く、係合の形態や形状は限定されない。  
収納装置１は、キャビネットに限らず、机や棚であってもよい。  
第２実施の形態において、載置片１３の突設幅を広くして、左右のスライドレール７、７間の間隔を広くした場合には、載置片１３の被係合部１７を側方から係合部１９に係合しても良い。  
【符号の説明】
【００２０】
１    収納装置
７    スライドレール
９    引き出し
１１  ガイドレール
１３  載置片
１７  被係合部
１９  係合部
２３  先端側ストッパー（先端部のストッパー）
２７  後端側ストッパー（後端部のストッパー）
【図１】
2018000420.tif 000003
【図２】
2018000420.tif 000004
【図３】
2018000420.tif 000005
【図４】
2018000420.tif 000006
【図５】
2018000420.tif 000007
【図６】
2018000420.tif 000008
【図７】
2018000420.tif 000009
【図８】
2018000420.tif 000010